(57)【要約】本発明は自然素材物を利用した装身具の製造方法及びこの製造方法によって製造された装身具に係り、所定形状金型を製造する段階；前記金型に挿入される自然素材を選別する段階；選別された自然素材をコートする段階；前記選別された自然素材を金型に合うように裁断する段階；裁断された自然素材を金型に挿入する段階；自然素材が挿入された金型の縁部を固定する固定段階；及び前記金型に充填手段を投入し、前記充填手段を固形化させる段階を含んでなる。本発明は、自然素材物を装身具に挿入して自然素材物を永久的に保存し、装身具に挿入された自然素材物に水分が染みこまないようにするとともに、自然素材物の色彩及び質感などを外部に表出させて装身具の販売量を極大化することを目的とする。
2008526297.tif 000002
【特許請求の範囲】
【請求項１】
所定形状の金型を製造する段階；
前記金型に挿入される自然素材を選別する段階；
選別された自然素材をコートする段階；
前記選別された自然素材を金型に合うように裁断する段階；
裁断された自然素材を金型に挿入する段階；
充填手段が自然素材に染みこむことを防止するために、自然素材が挿入された金型の縁部を固定する固定段階； 
前記金型に充填手段を投入し、前記充填手段を固形化させる段階：
を含んでなることを特徴とする、自然素材を利用する装身具の製造方法。
【請求項２】
前記金型に固定手段を投入するとき、自然素材の色相が変質されることを防止するために、０．１ｍｍ〜０．３ｍｍの厚さに固定手段を塗布することを特徴とする、請求項１に記載の自然素材を利用する装身具の製造方法。
【請求項３】
前記自然素材は、蝶、植物の葉及び木の葉のいずれか一つのであることを特徴とする、請求項１に記載の自然素材を利用する装身具の製造方法。
【請求項４】
前記充填手段は、エポキシ、アクリル及びウレタンのいずれか一つであることを特徴とする、請求項１に記載の自然素材を利用する装身具の製造方法。
【請求項５】
前記充填手段を固形化させる段階は、常温で８時間ないし２４時間固化させることを特徴とする、請求項１に記載の自然素材を利用する装身具の製造方法。
【請求項６】
前記金型に固定具を装着することを特徴とする、請求項１に記載の自然素材を利用する装身具の製造方法。
【請求項７】
自然素材をコートする段階では、自然素材をビニル材のコーティング紙でコートすることを特徴とする、請求項１に記載の自然素材を利用する装身具の製造方法。
【請求項８】
所定の形状を有する金型；
前記金型の内部に挿入される表面がコートされた自然素材物；
前記金型と自然素材物との間に形成された固定手段；及び
前記コートされた自然素材物の上面に充填された充填手段を含んでなることを特徴とする、自然素材を利用する装身具。
【請求項９】
前記金型の一面には固定具がさらに装着されていることを特徴とする、請求項８に記載の自然素材を利用する装身具。
【発明の詳細な説明】
【技術分野】
【０００１】
本発明は自然素材を利用する装身具の製造方法及びこの製造方法によって製造された装身具に係る。本発明は、自然素材を装身具に挿入して自然素材物を永久的に保存し、装身具に挿入された自然素材に水分が染みこまないようにするとともに、自然素材の色彩及び質感などを外部へ表出させて装身具の販売量を極大化することを目的とする。
【０００２】
本発明で使用する材質は、動植物、特にコーティングの際、自然素材の形状を保存するように平面形状を取っている蝶、木葉、植物葉などが使用できる。以下、本発明の好ましい実施例では、蝶に限定して説明する。
【背景技術】
【０００３】
従来の装身具に関する先行技術としては、大韓民国に特許出願されて公開された“柄成形体がインサートされた装飾材の製造方法及びその製造方法によってなされた装飾材”（韓国特許公開番号第２００４−６８４４７号、２００４．０７．３１．登録）、実用新案登録公告された“香りと蛍光を発する装身具”（韓国実用新案登録番号第２０−１７１５９２号、２０００．０３．１５．登録）、実用新案登録公告された“物体が挿入成形されたモールディングアクセサリ”（韓国実用新案登録番号第２０−０２０８２３８号、２０００．１０．１３．登録）が開示されている。
【０００４】
“韓国特許公開特許第２００４−６８４４７号（柄成形体がインサートされた装飾材の製造方法及びその製造方法によってなされた装飾材）”の場合には、“透明体内に柄成形体を埋込むようにして、成形体の鮮やかな立体的柄が引き立つようにし、多様な形態に安価で加工製造することができるようにすること”を目的とし、その構成は“所定の厚さを有する透明樹脂板を準備する段階；準備した前記透明樹脂板の一側面に一つ以上の成形体挿着凹部を形成する段階；前記成形体挿着凹部に対応する柄成形体を挿着する段階；及び前記成形体が挿着された方向に高温液状の透明樹脂を注入して当該成形体を塗布して透明樹脂板の当該一側面に所定の厚さに塗布硬化させる段階；によって製作すること”を特徴としている。
【０００５】
この特許においては、成形体は“柄を有するもので、前後面が対称をなしている動植物形態のもの、キャラクター、シンボル、マーク、ハングル、英語などの文字、数字、その外に螺鈿飾り、宝石類などであり、この成形体に選択的に金又は銀をコートすることができるもの”が記述されているが、本発明の場合のように、自然素材物の成形体を使おうとすると、透明樹脂が成形体に塗布されるうち、自然素材の成形体は透明樹脂の温度によって色相又はその形状が変更され、金又は銀をコートする場合は、自然素材の成形体色相が外部へ表出できない点があるため、適しない問題点を持っている。
【０００６】
また、韓国実用新案登録第２０−１７１５９２号（香りと蛍光を発する装身具）の場合は、装身具の外形に蛍光物質を被せるか、あるいは装身具がプラスチックの場合、プラスチック原料と蛍光物質を配合してから成形することで、昼にだけ見られた装身具を夜にも見られるようにすることを特徴としたが、この実用新案の場合は、一定の形状を有するプラスチック装身具に蛍光物質を塗布するものであって、これを自然素材物の成形体には適用しにくい欠点がある。
【０００７】
さらに、韓国実用新案登録第２０−０２０８２３８号（物体が挿入成形されたモールディングアクセサリ）の場合は、植物の葉、花、昆虫などの対象物の立体的又は平面的形状に金と銀を細工するか、あるいはその他の金属又は合成樹脂で鋳造又は射出したメダル、一定形態の鋳造物などの本体を製造し、この製造された本体に対象物が接着されるサイドにエンディングモールドを形成した後、本体の接着面に接着性塗膜を薄くコーティング処理してから乾燥させた対象物を、形状に合わせて立体的に接着させ、エポキシ、エナメル、ホマイカなどで、本体と対象物の表面を立体的に取り囲むように厚塗膜のモールディングコーティングを行って完成する方式からなることを特徴としている。この場合、接着面に対象物を立体的に接着する過程で、対象物が接着物と接着しながら表面が均一にならなくて表面がデコボコになる問題点があり、対象物を本体に誤って接着させる場合、接着面に誤って付着した対象物を引き離さなければならないが、その除去過程で対象物が破れるか破損されるなどの問題点があり、対象物を本体の接着面に接着させるとき、本体の縁部と接着面の縁部には一定のすき間が形成されるので、エポキシモールディングコーティングを行う場合、このすき間に沿ってエポキシが染みこむことになって対象物が変形する問題点を持っている。
【発明の開示】
【発明が解決しようとする課題】
【０００８】
本発明は自然素材を装身具に挿入して自然素材物を永久的に保存し、装身具に挿入された自然素材にエポキシなどの異物が染みこまないようにするとともに、自然素材の色彩及び質感などを外部に表出させて装身具の販売量を極大化することをその目的とする。
【課題を解決するための手段】
【０００９】
本発明は前記のような目的を達成するために、所定形状の金型を製造する段階；前記金型に挿入される蝶、植物の葉及び木の葉のいずれか一つの自然素材を選別する段階；選別された自然素材をコートする段階；前記選別された自然素材を金型に合うように裁断する段階；裁断された自然素材を金型に挿入する段階；自然素材が挿入された金型の縁部を固定する固定段階；及び前記金型に封止手段を投入し、エポキシ又はアクリル等の充填手段を固形化させる段階を含んでなる方法を提供する。
【００１０】
また、本発明において、前記充填手段を固形化させる段階は、常温で８時間ないし２４時間固形化させることを特徴とする。
【００１１】
また、本発明において、前記金型に固定手段を投入するときは、自然素材の色相が変質されることを防止するために、０．１ｍｍ〜０．３ｍｍの厚さに塗布することを特徴とする。
【００１２】
本発明による装身具は、所定の形状を有する金型、前記金型の内部に挿入される表面がコートされた自然素材物、前記金型と自然素材物との間に形成された固定手段、及び前記コートされた自然素材物の上面に充填された充填手段を含んでなり、前記金型にはピンのような固定具をさらに装着して、ブローチ、ネックレス、指輪などとして使用することができることを特徴とする。
【発明の効果】
【００１３】
本発明によれば、
第一、自然素材物をコーティング処理して金型に挿入し、これを固定化させた後、充填手段を充填させることにより、金型に挿入された自然素材物を永久的に保護することができ、
第二、コートされた自然素材物を金型に挿入させた後、固定させることにより、金型にエポキシなどの異物が染みこまないようにすることができ、
第三、充填手段を透明にして、外部に自然素材物の色彩及び質感などを表出させることで、装身具の販売を極大化することができる効果がある。
【発明を実施するための最良の形態】
【００１４】
以下、本発明の好ましい実施例を添付図面に基づいて詳細に説明する。
【００１５】
本発明による装身具の製造方法は、蝶形状の金型を製造する段階（Ｓ１）；前記金型に挿入される天然の蝶を選別する段階（Ｓ２）；選別された蝶をコートする段階（Ｓ３）；前記コートされた蝶を金型の形状に合わせて裁断する段階（Ｓ４）；裁断された蝶コーティングを金型に挿入する段階（Ｓ５）；蝶コーティングが挿入された金型の縁部を固定する固定段階（Ｓ６）；及び前記蝶形状の金型にエポキシ又はアクリルの充填手段を投入し、前記充填手段を固形化させる段階（Ｓ７）を含んでなる。
【００１６】
前記蝶形状の金型を製造する段階では、蝶の形状になるように金型１０を製造し、前記金型１０に挿入される蝶を選別する段階では、需要者の好みに合う蝶２０を選別することが好ましい。
【００１７】
選別された蝶２０の上下面をコートする段階では、蝶２０の特性、すなわち蝶及び蛾その外の昆虫の羽又は胴体の表面を覆っている微少で平たい葉状物（すなわち、鱗粉）からなっているので、表面が損傷し易い点を考慮しなければならない。
【００１８】
前記蝶２０は微細なピンセットで気をつけて取り扱わなければならなく、特殊接着フィルム４０でコーティング処理するとき、コーティングの温度及び速度によって羽に損傷が加えられることができるので、コーティングの時にも細かい注意を注がなければならない。
【００１９】
コーティングの材料としては、ビニルを使用することが望ましく、その厚さは１００μｍにすることが好ましい。
【００２０】
特に、本発明では、金型に自然素材を誤って挿入した場合であっても、金型の底面に接着剤が塗布されていないので、分離が容易であり、さらに自然素材の両面コーティングによって、金型の底面に接着層が塗布されていても、金型から自然素材を分離する作業が容易であり、除去過程で自然素材が毀損する問題点を克服することができる。
【００２１】
前記コートされた蝶を金型形状に合うように裁断し、金型１０に挿入する段階では、選別された蝶をコートした後、蝶形状の金型に合うように、コートされた蝶を蝶の主イメージに応じて裁断し、裁断作業中に、互いに接着されたコーティングフィルム４０の部分が切除されるので、裁断作業後には、コーティングフィルム４０の間で蝶２０が排出されないように、圧縮しながら金型１０に入れる。
【００２２】
ついで、蝶コーティングが挿入された金型の縁部を固定する段階では、金型１０に挿入された蝶２０の縁部を密封するなどの固定作業を行うことにより、以後の段階で、表面にエポキシ樹脂を処理するとき、エポキシが蝶に染みこまなくなる。具体的に、コーティングの後、裁断された蝶２０を金型の縁部に固定する場合、接着剤のような固定手段６０を使用することが望ましく、接着剤の量によって蝶羽の色相の変質されるおそれがあるので、その厚さは０．１ｍｍ〜０．３ｍｍにして接合することが好ましい。
【００２３】
その後、前記金型１０に充填手段３０を注入する段階を経ることになる。その充填手段３０としては、蝶柄及び色相を外部に表出させるために、透明なエポキシ又はアクリルを使用することが好ましい。
【００２４】
前記充填手段３０は、蝶標本に外部の空気が流入することを遮断して、蝶を長期間保存するためのもので、前記充填手段３０は常温で８時間ないし２４時間で固化させることができ、固化させる期間が長いほどエポキシの硬度が高くなる。本発明の一実施例では１２〜２４時間固化させることが好ましい。
【００２５】
本発明では、エポキシ表面処理を行うことで、その表面を滑らかで光沢が出るようにして、蝶羽を永久的に保存することができる。
【００２６】
前記実施例の製造工法によって製造された蝶形状の装身具１００は、蝶形状を有する金型１０、前記金型１０の内部に挿入される表面がビニルコートされた蝶２０、前記金型１０と蝶２０コーティングとの間に形成された固定手段６０、及び前記コートされた蝶２０の上面に充填された充填手段３０のエポキシを含んでなる。
【００２７】
また、前記金型１０の縁部にはキュービックジルコニア５０をセットして製品を高級化し、羽部分が引き立つようにすることができる。また、金型にピンのような固定具を装着して、ブローチ、ネックレス、指輪などとして使用することができる。
【００２８】
以上、本発明を、特許請求の範囲で請求する請求項に基づいて説明したが、本発明は当業者によって多様な変形及び変更が可能であり、このような変形及び変更は本発明の保護範囲に属するものと解釈されなければならない。
【図面の簡単な説明】
【００２９】
【図１】図１は本発明による装身具の製造方法を示す流れ図である。
【図２】図２は図１の方法によって製造された装身具の分解斜視図である。
【図３】図３は図１の方法によって製造された装身具の結合斜視図である。
【図４】図４は図１の方法によって製造された装身具のＡ−Ａ’線に沿って取った部分拡大断面図である。
【符号の説明】
【００３０】
１００：装身具
１０：金型
２０：蝶
３０：充填手段
４０：コーティング
５０：キュービック
６０：固定手段
【図１】
2008526297.tif 000003
【図２】
2008526297.tif 000004
【図３】
2008526297.tif 000005
【図４】
2008526297.tif 000006
【国際調査報告】
2008526297.tif 000007